(57)【要約】【課題】コンパクトに折り畳みが可能な水切り用ラックを得る。【解決手段】  金属製の線状体から成る縦枠部１、２と、直角二等辺三角形の枠体部３Ａ、４Ａに複数の細幅の板条体３Ｄ、４Ｄを配置した棚部材３、４とから構成されている。縦枠部１は上方から見てＬ字形とされ、縦枠部２は辺の長さが短くされている。縦枠部１は柱部材１Ａ、１Ｂを有し、連結部材１Ｃ、梁部材１Ｅにより連結している。柱部材１Ａ、１Ｂ間の支持部材１Ｆ、１Ｇには棚部材３、４が回動可能に支持されている。縦枠部２は柱部材２Ａ、２Ｂを有し、連結部材２Ｃ、梁部材２Ｅにより連結している。縦枠部１の柱部材１Ｂと縦枠部２の柱部材２Ａとは回動可能に連結されている。柱部材２Ａ、２Ｂの間の支持部材２Ｆ、２Ｇには、棚部材３、４の係止部３Ｃ、４Ｃを受け止める受係止部２Ｈ、２Ｉが形成されている。【選択図】図１
2014200408.tif 000002
【特許請求の範囲】
【請求項１】
金属製の線状体を主体とし、鉛直方向に起立する柱部材及び水平方向の支持部材を有する複数の縦枠部と、三角形状又は四角形状の棚部材とから成る水切り用ラックにおいて、
前記縦枠部の隣接する柱部材同士の接合部分を第１のヒンジ金具により回動可能に連結し、前記三角形状の棚部材の斜辺以外の一方の辺又は前記四角形状の棚部材の短辺の一方の辺を第２のヒンジ金具によって一方の前記縦枠部の支持部材に対し上下方向に回動可能に取り付け、前記三角形状の棚部材の斜辺以外の他方の辺又は前記四角形状の棚部材の短辺の他方の辺に係止部を設け、他方の前記縦枠部の支持部材に前記係止部と係止可能な受係止部を設けたことを特徴とする水切り用ラック。
【請求項２】
金属製の線状体を主体とし、鉛直方向に起立する柱部材及び水平方向の支持部材を有する複数の縦枠部と、三角形状の棚部材とから成る水切り用ラックにおいて、
前記縦枠部の隣接する柱部材同士の接合部分を第１のヒンジ金具により回動可能に連結し、前記三角形状の棚部材の斜辺以外の一方の辺を第２のヒンジ金具によって一方の前記縦枠部の支持部材に対し上下方向に回動可能に取り付け、前記三角形状の棚部材の斜辺以外の他方の辺に係止部を設け、他方の前記縦枠部の支持部材に前記係止部と係止可能な受係止部を設けたことを特徴とする水切り用ラック。
【請求項３】
前記三角形状は直角三角形状とし、同形状の前記棚部材と、前記棚部材の斜辺以外の両辺側に位置する第１、第２の縦枠部とを備え、
前記第１の縦枠部の第１の支持部材は、前記棚部材の前記両辺の一方の辺と他方の辺の一部に沿う形状であって、前記第２の縦枠部の第２の支持部材は、前記棚部材の他方の辺の前記一部以外の部分に沿う形状であって、前記第１、第２の縦枠部の前記他方の辺の前記一部側に位置する柱部材同士を前記第1のヒンジ金具を介して回動可能に連結したことを特徴とする請求項１又は請求項２に記載の水切り用ラック。
【請求項４】
前記係止部は前記棚部材の一部に溶接して設けたことを特徴とする請求項１〜３の何れか１項に記載の水切り用ラック。
【請求項５】
前記受係止部は前記支持部材の一部を屈曲して設けたことを特徴とする請求項１〜３の何れか１項に記載の水切り用ラック。
【発明の詳細な説明】
【技術分野】
【０００１】
本考案は、例えば浴室の床面上に載置し、石鹸等の浴室用品を載置する水切り用ラックに関するものである。
【背景技術】
【０００２】
特許文献１はラックが略４分円状又は斜辺が円弧状の直角二等辺三角形状であって、ステンレス鋼製のワイヤ材を用いた浴室用コーナラックが開示されている。
【０００３】
特許文献２は金属ワイヤ材で構成され、ラックが四角形状である収納ラックが開示されている。
【０００４】
これらのラックは、何れも浴室の床面上に載置し、ラックにシャンプボトル、ボディソープボトル、石鹸等の浴室用品を載置して利用する。このラックを利用することで、浴室用品の底部や浴室床面に、水垢や汚れが付着したり、かびが発生することを防止することができる。
【先行技術文献】
【特許文献】
【０００５】
【特許文献１】登録実用新案第３０９３５４３号公報
【特許文献２】登録実用新案第３１７１８５１号公報
【発明の概要】
【発明が解決しようとする課題】
【０００６】
従来の浴室用収納ラックにおいては、構成するステンレス材が溶接されており、折り畳み等は不可能であり、組み立てられた状態で運搬、保管をせざるを得ない。従って、軽量ではあるが嵩ばるので、ラックの保管、運搬に問題があり、かつ梱包する箱材等も大きくなってしまうという問題がある。
【０００７】
本発明の目的は、上述の課題を解消し、コンパクトに折り畳みが可能な水切り用ラックを提供することにある。
【課題を解決するための手段】
【０００８】
上記目的を達成するための本発明に係る水切り用ラックは、金属製の線状体を主体とし、鉛直方向に起立する柱部材及び水平方向の支持部材を有する複数の縦枠部と、三角形状又は四角形状の棚部材とから成り、前記縦枠部の隣接する柱部材同士の接合部分を第１のヒンジ金具により回動可能に連結し、前記三角形状の棚部材の斜辺以外の一方の辺又は前記四角形状の棚部材の短辺の一方の辺を第２のヒンジ金具によって一方の前記縦枠部の支持部材に対し上下方向に回動可能に取り付け、前記三角形状の棚部材の斜辺以外の他方の辺又は前記四角形状の棚部材の短辺の他方の辺に係止部を設け、他方の前記縦枠部の支持部材に前記係止部と係止可能な受係止部を設けたことを特徴とする。
。
【発明の効果】
【０００９】
本発明に係る水切り用ラックを用いることで、コンパクトに折り畳みが可能で省スペース化ができ、運搬、保管が容易となり、梱包のための箱材も小さくて済む。また、折り畳んだ状態で立てておくことができ、不使用時や使用しない保管時には直立した状態で保管することができる。
【図面の簡単な説明】
【００１０】
【図１】実施例１の水切り用ラックを組み立てた状態の斜視図である。
【図２】折り畳んだ状態の斜視図である。
【図３】折り畳み過程の斜視図である。
【図４】実施例２の水切り用ラックを組み立てた状態の斜視図である。
【図５】折り畳んだ状態の斜視図である。
【図６】折り畳み過程の斜視図である。
【発明を実施するための形態】
【００１１】
本発明を図示の実施例に基づいて詳細に説明する。
【実施例１】
【００１２】
図１は実施例１の三角形、特に直角二等辺三角形状の棚部材を有する水切り用ラックを組み立てた状態の斜視図、図２は折り畳んだ状態の斜視図、図３は組み立てた状態から折り畳む過程、又は折り畳んだ状態から組み立てる過程の斜視図を示している。
【００１３】
水切り用ラックは例えば金属製の線状体から成る第１の縦枠部１及び第２の縦枠部２と、直角三角形状とした金属製の線状体を主体とする枠体部に複数の細幅の板条体を配置した２つの棚部材３、４とから構成されている。そして、これらの部材を含めた全ての部品はステンレス等の金属製とされている。
【００１４】
この水切り用ラックは例えば浴室の隅部に置いて使用され、棚部材３、４は直角二等辺三角形とされ、等分の２辺はそれぞれ浴室の隅部の第１、第２の壁側に位置し、斜辺は浴室の内方に向けて位置することになる。また、第１の縦枠部１及び第２の縦枠部２は、棚部材３、４の適宜の形状の直角三角形の斜辺以外の両辺側に位置するようにしてもよく、折り畳める範囲内であれば棚部材３、４は正三角形を２分割した直角三角形状等を用いることもできる。
【００１５】
第１の縦枠部１は第１の壁側の一辺と更に隣接する第２の壁側の他辺に至る上方から見てＬ字形とされ、第２の縦枠部２は第１の壁側の一辺よりも辺の長さが短くされている。そして、第１の縦枠部１と第２の縦枠部２とは、第２の壁側の鉛直方向の辺の一部において当接され、この当接部分による縦方向の線分を中心として折り畳むようにされている。
【００１６】
第１の縦枠部１は床面に対して鉛直方向に起立する柱部材１Ａ及び柱部材１Ｂを有し、この柱部材１Ａ及び１Ｂの上端同士は、両端の片方が短く他方が長くなるように外側に「コ」字状に膨らんだ連結部材１Ｃを介して連結している。
【００１７】
また、柱部材１Ａの下端にはゴム等の滑止部１Ｄが固定されている。一方、柱部材１Ｂの下端には梁部材１Ｅが延在されており、梁部材１Ｅは上方から見て連結部材１Ｃと同形の「コ」字状とされ、更にその一部は床面に接する底部１Ｆとして「く」字状に折曲されており、梁部材１Ｅの終端部は柱部材１Ａの滑止部１Ｄの稍々上方にスポット溶接により固定されている。
【００１８】
柱部材１Ａ及び柱部材１Ｂの間の連結部材１Ｃの稍々下方に支持部材１Ｇが棚部材３を支持するために水平方向に配置されており、支持部材１Ｇの両端部はそれぞれ柱部材１Ａ、１Ｂに溶接により固定されている。支持部材１Ｇは、棚部材３の直角二等辺三角形の斜辺以外の両辺の一方の辺と他方の辺の一部ｒに沿う形状をしており、上方から見て連結部材１Ｃと同形とされ、「コ」字の中央部の辺の２個所に、屈曲したヒンジ取付部１Ｈが設けられている。
【００１９】
また、梁部材１Ｅの上方には、棚部材４を支持するために支持部材１Ｇと同形の支持部材１Ｉが両端部をそれぞれ柱部材１Ａ、１Ｂに溶接により固定され、支持部材１Ｇと同様にヒンジ取付部１Ｊが２個所に設けられている。連結部材１Ｃと支持部材１Ｇとの間、及び支持部材１Ｉの上方には、それぞれ連結部材１Ｃと上方から見て同形の梁部材１Ｋ、１Ｌがそれぞれの両端部を柱部材１Ａ、１Ｂに溶接により固定されている。
【００２０】
一方、第２の縦枠部２は柱部材２Ａ及び２Ｂを有し、この柱部材２Ａ及び２Ｂの上端同士は、上方から見てＬ字状になるように湾曲した連結部材２Ｃを介して連結されている。また、第１の縦枠部１の柱部材１Ａと同様に、柱部材２Ｂの下端には滑止部２Ｄが固定されている。柱部材２Ａの下端には梁部材２Ｅが延在され、上方から見て連結部材２Ｃと同形に屈曲され、梁部材２Ｅの終端部は柱部材２Ｂの滑止部２Ｄの上部近傍に溶接により固定されている。
【００２１】
柱部材２Ａ及び柱部材２Ｂの間の上下部には、棚部材３、４をそれぞれ支持するための支持部材２Ｆ、２Ｇが水平方向に配置されている。支持部材２Ｆ、２Ｇは棚部材３、４の直角二等辺三角形の斜辺以外の他方の辺の一部ｒ以外の部分に沿う形状をしており、それぞれ上方から見て連結部材２Ｃと同形に屈曲して配置され、それぞれの両端部は柱部材２Ａ、２Ｂに溶接により固定されている。また、それぞれの支持部材２Ｆ、２Ｇには棚部材３、４の係止部を受け止めるための内側に屈曲された受係止部２Ｈ、２Ｉが形成されている。この受係止部２Ｈ、２Ｉの後部には、第２の縦枠部２が不時に内側に移動しても、棚部材３、４の係止部が外れないように、外れ防具部材２Ｊが溶接されている。更に、これらの支持部材２Ｆ、２Ｇの稍々上方には、上方から見て連結部材２Ｃと同形の梁部材２Ｋ、２Ｌが配置され、端部は柱部材２Ａ、２Ｂに溶接により固定されている。
【００２２】
縦枠部１、２の棚部材３、４の直角二等辺三角形の斜辺以外の他方の辺の一部ｒ側に位置する柱部材１Ｂと柱部材２Ａとを連結する。これらの柱部材１Ｂと柱部材２Ａとの接合部分は２個のヒンジ金具５により連結されており、第２の縦枠部２は第１の縦枠部１に対して、柱部材１Ｂを軸として回動可能とされている。ヒンジ金具５は断面略Ｕ字状の金属板の両端を柱部材１Ｂに溶接し、生じた隙部に柱部材２Ａを挿通することにより回動可能とされている。この状態で支持部材１Ｇと支持部材２Ｆ、梁部材１Ｋと梁部材２Ｋ、梁部材１Ｌと梁部材２Ｌ、支持部材１Ｉと支持部材２Ｇの高さは同じにされ、柱部材１Ｂ、２Ａに対し同じ高さ位置に溶接されている。従って、第１の縦枠部と第２の縦枠部２とを外側に開くように回動しようとしても、柱部材１Ｂ、２Ａに溶接した線状体の端部同士が突き当って外側には回動不能とされている。
【００２３】
棚部材３は屈曲により形成した直角二等辺三角形状の枠体部３Ａを有し、この枠体部３Ａの等分の２辺は上方から見て当接した状態の連結部材１Ｃ、２Ｃとほぼ同形とされている。
【００２４】
枠体部３Ａには浴室用品の落下を防止するための段差部３Ｂが枠体部３Ａの斜辺において一段と高く折り曲げられている。また、枠体部３Ａの等分の２辺の一方の辺には第２の縦枠部２の受係止部２Ｈに、係止可能に挿し込む断面略Ｕ字状に屈曲された係止部３Ｃが下方に向けて溶接により固定されている。
【００２５】
枠体部３Ａ上には、斜辺と平行に長さが異なる複数の細幅の板条体３Ｄが隙間を開けて配列され、溶接により固定されている。枠体部３Ａの第１の壁側の２個所は支持部材１Ｇのヒンジ取付部１Ｈにヒンジ金具６により上下方向に回動可能に連結されている。このヒンジ金具６はヒンジ金具５と同様に断面略Ｕ字状の金属板の両端が支持部材１Ｇに溶接され、隙間に枠体部３Ａの一部が挿通されている。
【００２６】
棚部材４も棚部材３と同様の構造とされ、段差部４Ｂ及び板条体４Ｄを備える枠体部４Ａは支持部材１Ｉに２個のヒンジ金具７を介して上下方向に回動可能に連結され、係止部４Ｈが第２の縦枠部２の受係止部２Ｉに係止するようにされている。
【００２７】
この水切り用ラックを収納する際には、図３に示すようにヒンジ金具６、７を介して棚部材３、４を一旦持ち上げて、係止部３Ｃ、４Ｃを第２の縦枠部２の受係止部２Ｈ、２Ｉから外して開放し、上部の棚部材３は下方に折り畳み、下部の棚部材４は上方に折り畳む。更に、図２に示すようにヒンジ金具５により第２の縦枠部２を第１の縦枠部１と平行に位置するように折り畳むことにより、水切り用ラックは略直方体状に折り畳むことができる。このまま直立させて部屋の隅部に置くこともできるし、直方体の箱材に収納して保管してもよい。
【００２８】
また、このような折り畳み状態から使用するには、逆の手順で組立てればよい。
【実施例２】
【００２９】
図４〜図６は実施例２の水切り用ラックを示し、実施例１において棚部材は三角形状であるのに対し、実施例２の棚部材は四角形状の長方形状とされている。
【００３０】
図４は実施例２の水切り用ラックを組み立てた状態の斜視図、図５は折り畳んだ状態の斜視図、図６は組み立てた状態から折り畳む過程、又は折り畳んだ状態から組み立てる過程の斜視図を示している。
【００３１】
実施例２の水切り用ラックは左右対称である第１の縦枠部１１、第２の縦枠部１２及びこれらの縦枠部１１、１２の間に配置する第３の縦枠部１３と、長方形状をした枠体部に複数の細幅の板条体を配置した２つの棚部材１４、１５とから構成されている。
【００３２】
第１及び第２の縦枠部１１、１２はそれぞれ柱部材１１Ａ、１１Ｂ及び柱部材１２Ａ、１２Ｂを有し、柱部材１１Ａ、１１Ｂ及び柱部材１２Ａ、１２Ｂの上端同士は、連結部材１１Ｃ、１２Ｃを介して連結されている。また、柱部材１１Ａ、１２Ａの下端には滑止部１１Ｄ、１２Ｄが固定されている。柱部材１１Ｂ、１２Ｂの下端には梁部材１１Ｅ、１２Ｅが延在され、その端部は柱部材１１Ａ、１２Ａの滑止部１１Ｄ、１２Ｄの上部近傍に溶接により固定されている。
【００３３】
柱部材１１Ａ、１１Ｂ及び柱部材１２Ａ、１２Ｂの間の上下部には、支持部材１１Ｆ、１１Ｇ及び支持部材１２Ｆ、１２Ｇがそれぞれ配置され、これらの支持部材１１Ｆ、１１Ｇ及び支持部材１２Ｆ、１２Ｇの稍々上方に、梁部材１１Ｈ、１１Ｉ及び梁部材１２Ｈ、１２Ｉが配置されている。支持部材１１Ｆ、１１Ｇ及び梁部材１１Ｈ、１１Ｉのそれぞれの両端部は柱部材１１Ａ、１１Ｂに溶接により固定されており、支持部材１２Ｆ、１２Ｇ及び梁部材１２Ｈ、１２Ｉのそれぞれの両端部は柱部材１２Ａ、１２Ｂに溶接により固定されている。
【００３４】
また、それぞれの支持部材１１Ｆ、１１Ｇ及び支持部材１２Ｆ、１２Ｇには、棚部材１４、１５の係止部を受け止めるための内側に屈曲された受係止部１１Ｊ、１１Ｋ及び受係止部１２Ｊ及び１２Ｋが形成されている。これらの受係止部１１Ｊ、１１Ｋの後部には、外れ防止部材１１Ｌが溶接され、受係止部１２Ｊ及び１２Ｋの後部には、外れ防止部材１２Ｌが溶接されている。
【００３５】
第３の縦枠部１３は柱部材１３Ａ及び柱部材１３Ｂを有し、柱部材１３Ａ及び柱部材１３Ｂの上端同士は、連結部材１３Ｃを介して連結されている。また、柱部材１３Ａ及び柱部材１３Ｂの下端には滑止部１３Ｄ、１３Ｅが固定されている。なお、連結部材１３Ｃの長さ、つまり第３の縦枠部１３の辺の長さは、第１、第２の縦枠部１１、１２の辺の長さの約２倍とされている。
【００３６】
柱部材１３Ａ、柱部材１３Ｂの間の上下部には、支持部材１３Ｆ、１３Ｇがそれぞれ配置され、これらの支持部材１３Ｆ、１３Ｇの稍々上方には、梁部材１３Ｈ、１３Ｉが配置されている。支持部材１３Ｆ、１３Ｇ及び梁部材１３Ｈ、１３Ｉの両端部はそれぞれ柱部材１３Ａ、１３Ｂに溶接により固定されている。
【００３７】
柱部材１１Ｂと柱部材１３Ａ及び柱部材１２Ｂと柱部材１３Ｂは、それぞれ２個のヒンジ金具１６により連結されている。第１の縦枠部１１は第３の縦枠部１３に対して、柱部材１３Ａを軸として回動可能とされており、第２の縦枠部１２は第３の縦枠部１３に対して、柱部材１３Ｂを軸として回動可能とされている。この状態で、支持部材１１Ｆ、１２Ｆ及び１３Ｆと、支持部材１１Ｇ、１２Ｇ及び１３Ｇと、梁部材１１Ｈ、１２Ｈ及び１３Ｈと、梁部材１１Ｉ、１２Ｉ及び１３Ｉとの高さは同じである。第１の縦枠部１１と第３の縦枠部１３又は第２の縦枠部１２と第３の縦枠部１３とを外側に開くように回動しようとしても、柱部材１１Ａ、１３Ａ、１３Ｂ、１２Ｂに溶接した線状体の端部同士、又は端部が柱部材に突き当って外側には回動不能とされている。
【００３８】
棚部材１４は屈曲により形成した長方形状の枠体部１４Ａを有し、この長方形の枠体部１４Ａの長辺は、連結部材１３Ｃとほぼ同じ長さであり、枠体部１４Ａの短辺は、連結部材１１Ｃ、１２Ｃとほぼ同じ長さである。
【００３９】
また、枠体部１４Ａの前面側の長辺は、一段と高く段差部１４Ｂとして折り曲げられている。また、枠体部１４Ａの両短片の前面側には、第１の縦枠部１１の受係止部１１Ｊ及び第２の縦枠部１２の受係止部１２Ｊに挿し込むための断面略Ｕ字状に屈曲された係止部１４Ｃが、下方に向けて溶接により固定されている。
【００４０】
枠体部１４Ａ上には、対向する短辺間と同じ長さの複数の細幅の板条体１４Ｄが長辺と平行に隙間を開けて配列され、溶接により固定されている。棚部材１４の後面側の長辺は枠体部１４Ａの支持部材１３Ｆの両側に設けた２個のヒンジ金具１７を介して、第３の縦枠部１３に対し回動可能に連結されている。このヒンジ金具１７はヒンジ金具１６と同様に、断面略Ｕ字状の金属板の両端が支持部材１３Ｆに溶接され、隙間に枠体部１４Ａの長辺が挿通されている。また、２個のヒンジ金具１７を配置した支持部材１３Ｆの個所に、実施例１の水切り用ラック同様に屈曲したヒンジ取付部が設けるようにしてもよい。
【００４１】
棚部材１５も棚部材１４と同様の構造とされ、枠体部１５Ａは段差部１５Ｂ及び板条体１５Ｄを有し、支持部材１３Ｇに２個のヒンジ金具１８を介して回動可能に連結されている。
【００４２】
棚部材１４、１５は下方に向けて溶接固定した係止部１４Ｃ、１５Ｃによって、それぞれ第１の縦枠部１１の受係止部１１Ｊ、１１Ｋ及び第２の縦枠部１２の受係止部１２Ｊ、１２Ｋに係止するようにされている。
【００４３】
この実施例２の水切り用ラックを収納する際には、図６に示すようにヒンジ金具１７、１８を介して棚部材１４、１５の係止部１４Ｃを一旦持ち上げて、第１の縦枠部１１の受係止部１１Ｊ、１１Ｋと第２の縦枠部１２の受係止部１２Ｊ、１２Ｋから外して開放する。続いて、上方の棚部材１４を下方に折り畳み、下部の棚部材１５は上方に折り畳む。
【００４４】
更に、図５に示すようにヒンジ金具１６により第１の縦枠部１１と第２の縦枠部１２とを、第３の縦枠部１３と平行に位置するように折り畳む。このようにして、実施例２の水切り用ラックは略直方体状に折り畳むことができ、組み立てる際は、逆の手順を行えばよい。
【符号の説明】
【００４５】
１、２、１１〜１３  縦枠部
３、４、１４、１５  棚部材
５〜７、１６〜１８  ヒンジ金具
１Ａ、１Ｂ、２Ａ、２Ｂ、１１Ａ、１１Ｂ、１２Ａ、１２Ｂ、１３Ａ、１３Ｂ  柱部材
１Ｃ、２Ｃ、１１Ｃ、１２Ｃ  連結部材
１Ｇ、１Ｉ、２Ｆ、２Ｇ、１１Ｆ、１１Ｇ、１２Ｆ、１２Ｇ、１３Ｆ、１３Ｇ  支持部材
１Ｋ、１Ｌ、２Ｋ、２Ｌ、１１Ｈ、１１Ｉ、１２Ｈ、１２Ｉ  梁部材
２Ｈ、２Ｉ、１１Ｊ、１１Ｋ、１２Ｊ、１２Ｋ  受係止部
３Ａ、４Ａ、１４Ａ、１５Ａ  枠体部
３Ｃ、４Ｃ、１４Ｃ、１５Ｃ  係止部
【図１】
2014200408.tif 000003
【図２】
2014200408.tif 000004
【図３】
2014200408.tif 000005
【図４】
2014200408.tif 000006
【図５】
2014200408.tif 000007
【図６】
2014200408.tif 000008